(57)【要約】【課題】利便性の高い充電態様を提供可能な充電機能付き収納庫を提供すること。【解決手段】被充電物を複数保管可能な充電機能付き収納庫であって、前記複数の被充電物の充電時間を個別に設定可能な制御手段を設けたことを特徴とするものである。前記制御手段は、外部電源と被充電物に配線する複数の充電端子との間に介在した時限式の切り替え装置で構成することができ、前記切り替え装置でもって各コンセントへの通電を周期的に切り替えることにより、被充電物への充電態様を制御することができる。【選択図】図１
2012105475.tif 000002
【特許請求の範囲】
【請求項１】
被充電物を複数保管可能な、充電機能付き収納庫であって、
前記複数の被充電物の充電時間を個別やグループ別に設定可能な制御手段を設けたことを特徴とする、収納庫。
【請求項２】
前記制御手段が、外部電源と、被充電物に配線する複数の充電端子との間に介在した時限式の切り替え装置であり、
前記切り替え装置でもって、各コンセントへの通電を周期的に切り替えるように構成したことを特徴とする、請求項１に記載の収納庫。
【発明の詳細な説明】
【技術分野】
【０００１】
本発明は、充電機能付き収納庫に関する。
【背景技術】
【０００２】
職場や教育現場などで用いるノートＰＣや、タブレットＰＣ等の電子端末（以下、単に「電子端末」という。）は、紛失や盗難による個人情報の漏洩を防止すべく、一括して鍵付きの収納庫に保管する場合が多い。
【０００３】
また、近年、教育現場では、電子端末を生徒に一人一人に割り当て、当該電子端末を電子教科書と称して授業を行う手法が提案されており、実際にモデル校などで、電子教科書による授業の実践が、試験的に運用されている。
【０００４】
上記運用を進めるにあたり、使用する電子端末は、無充電でも半日程度は連続使用できる程度のバッテリー（蓄電池）を備えていることが求められている。
これは、昼間の授業時間中に、バッテリー不足による授業の中断を極力回避したい、という現場の要請によるものである。
また、学校等の教育現場は、基本的に夜間に授業を行わないことから、日中の授業時間中は無充電のまま使用を続け、夜間に充電を開始して朝までに満充電の状態へ回復させることができれば、一般的な使用に支障がないからである。
【０００５】
なお、特許文献１には、複数の電子端末を保管しつつ、該電子端末を充電することのできるキャビネットが記載されている。
【先行技術文献】
【特許文献】
【０００６】
【特許文献１】実用新案登録第３１１４０８３号公報
【発明の概要】
【発明が解決しようとする課題】
【０００７】
しかし、上記特許文献１に記載のキャビネットを、そのまま教育現場などで用いることとなると、以下のような問題が生じうる。
【０００８】
（１）契約電流の不足
例えば、１クラス当たり３０台程度の電子端末を同時に充電しようとしても、学校の電力不足によってブレーカーが落ちてしまい、充電作業が十分に行われない危険性がある。このような問題の対策の一つとして学校の契約電流を大きくする方法を選択することもできるが、基本料金の高騰化を招くほか、将来的に電子端末の台数が飛躍的に増加すると、対応が追いつかないことが予想される。
（２）バッテリー寿命の短命化
電子端末を電源に接続したままだと、バッテリーの寿命が短くなりやすく、バッテリーの交換周期を早めることとなり、費用面及び環境面の双方において好ましくない。
【課題を解決するための手段】
【０００９】
上記従来の課題を解決すべくなされた本願発明は、被充電物を複数保管可能な、充電機能付き収納庫であって、前記複数の被充電物の充電時間を個別やグループ別に設定可能な制御手段を設けたことを特徴とする、収納庫を提供するものである。
また、前記発明において、前記制御手段が、外部電源と、被充電物に配線する複数の充電端子との間に介在した時限式の切り替え装置であり、前記切り替え装置でもって、各コンセントへの通電を周期的に切り替えるように構成してもよい。
【００１０】
前記発明における「被充電物」とは、前記電子端末だけではなく、携帯電話、カメラ、その他バッテリーを搭載する電子機器や、それらに取り付けるバッテリー本体そのもの等が含まれるものとする。
【発明の効果】
【００１１】
本願発明によれば、以下に記載する効果のうち、少なくとも何れか一つを得ることができる。
（１）充電時間の確保
学校等の充電場所において、ブレーカーが落ちない程度の態様で周期的に各被充電物を充電することができるため、学校等で契約電流の設定等の変更等、既存環境を極力変えずに、多数の被充電物を導入しても、全ての被充電物に対して安全に充電することが可能となる。
（２）バッテリー寿命の延命化
キャビネットに収納している間、永続的に通電する状態を回避できるため、過充電によるバッテリーの劣化を防止し、バッテリー寿命を延命化でき、費用面及び環境面の双方に寄与する。
【図面の簡単な説明】
【００１２】
【図１】本発明の収納庫の一態様を示す概略図。
【図２】本発明の収納庫に設けた制御手段の概略例を示す図。
【図３】本発明の収納庫に設けた制御手段の結線例を示す図。
【図４】本発明の収納庫の充電制御の作動例を示す図。
【発明を実施するための形態】
【００１３】
以下、図面を参照しながら本発明の実施の形態について説明する。
【実施例】
【００１４】
＜１＞全体構成
図１に示すように、本願発明に係る収納庫Ａは、複数の被充電物Ｂを収納する為の筐体１と、前記筐体１に設けた給電手段２及び制御手段３（図示せず）とを少なくとも含んで構成する。
【００１５】
＜２＞筐体
筐体１は、天板、左右の側板、底板、背面板、前方扉及び複数の棚板１１からなる一般的なキャビネット型の収納庫である。
各棚板１１は、被充電物Ｂを載置して保管可能に構成する。
本実施例では、各棚板１１に、給電手段２に既に差し込んである充電用の電源コードと、被充電物Ｂの充電端子とを接続し易くするべく、電源コードの解放端側をクリップするための保持具１２を棚板１１の手前側に設けてある。
また、各棚板１１は被充電物Ｂを個別に収納することを容易とすべく、前後方向へスライド可能に構成することが望ましい。
なお、筐体１を構成する各板には、筐体１の外部にある電源へと接続するための電源ケーブルを挿通するための開口部や、筐体１の内部の放熱の為に適宜スリットを設けておいても良い。
【００１６】
＜２＞給電手段
給電手段２は、筐体１の外部にある電源から得た電力を、筐体１内部に収納された被充電物Ｂへ給電するための装置である。
本実施例では、複数の差し込み口を有するタップ２１を複数個組み合わせて給電手段２を構成し、筐体１内部への被充電物Ｂの最大収納数に相当する数の差し込み口を確保している。
【００１７】
＜３＞制御手段
制御手段３は、筐体１の外部にある外部電源４から取得した電力を前記給電手段２へ供給するにあたり、その供給態様（個別或いはグループ別）を制御するための装置である。
制御手段３は、筐体１の内部に別途設けた空間に収納してもよいし、筐体１の外部に付設してもよく、配置位置・態様は特に限定されない。
【００１８】
図２に制御手段の概略例を示す。
図２に示す通り、制御手段３は、外部電源４に接続する電源ケーブルと、前記筐体１内部の給電手段２との間に介在する位置に設ける。
また、本実施例では、制御手段３は、二つのタイマースイッチ３ａ、３ｂで構成する。タイマースイッチ３ａでもって２つのタップ２１ａ，２１ｂの通電切り換えを制御し、当該構成をもう一組用意（３ｂ，２ｃ，２ｄ）して、合計４つのタップの通電切り替えを行う構成とした。したがって、タップ当たりの差し込み口を４つとした場合、合計１６台の被充電物の充電に対応することとなる。
【００１９】
図３に、制御手段の具体的な結線例を示す。
図３に示す通り、制御手段３を構成する二つのタイマースイッチ３１ａ、３１ｂは、それぞれタイマーにセットされた時間に応じて、出力１（タップ２ａ／２ｃ）と出力２（タップ２ｂ／２ｄ）のオン・オフを切り換えることができる。
【００２０】
図４に、制御手段の充電制御の作動例を示す。
図４に示す通り、前記二つのタイマースイッチ３ａ、３ｂに対し、４つのタップ２ａ〜２ｄが重複して通電しないように適宜タイマーをセットすることで、同時に充電される被充電物Ｂの最大数を所定の数に制限することができる。
例えば、学校の授業が終了した１８時から翌朝の６時までの１２時間を、３時間ずつ４分割し、それぞれのタップに振り分けて通電を行うことができる。
この場合、ブレーカーが落ちる心配を考慮することなく、全ての被充電物Ｂに対し確実に３時間の充電時間が約束されることとなる。また、被充電物Ｂに対し、最大で９時間の過充電抑制が実現されるため、必要以上にバッテリーを酷使することがなくなり、バッテリーの長寿命化が期待できる。
【００２１】
なお、給電手段を構成するタイマースイッチの数、同時充電可能な数、通電時間などの制御条件は、設置する場所で確保される契約電流等の環境や、充電される被充電物の特性や台数、並びに充電に用いることのできる時間等に応じて適宜設定することができ、本実施例で示す態様に限定されるものではない。
【符号の説明】
【００２２】
１    筐体
２    給電手段
２ａ、２ｂ  タップ
３    制御手段
３ａ，３ｂ  タイマースイッチ
４    外部電源
Ａ    収納庫
Ｂ    被充電物
【図１】
2012105475.tif 000003
【図２】
2012105475.tif 000004
【図３】
2012105475.tif 000005
【図４】
2012105475.tif 000006